(57)【特許請求の範囲】
【請求項１】
接岸した魚運搬船の魚艙から岸壁の水揚場まで前記魚艙内の魚を搬送する自在可動式搬送コンベアであって、
可撓性を有する管部材と、
前記管部材の内外に配置され、前記魚の尾のつけ根を挟持する掛止具を所定間隔で備えたエンドレスのリンクチェーンと、
前記管部材の一端部に設けられて、前記リンクチェーンに噛合する駆動ローラを備えた回転動力源と、
前記管部材の他端部に設けられて、前記リンクチェーンを前記管部材の内側から外側に折り返すリターンローラと、
前記管部材の外側に設けられて、前記管部材の外側を移動する前記リンクチェーンを案内するガイド部材と、
前記管部材を所定位置に保持する複数の支持手段とを有することを特徴とする自在可動式搬送コンベア。
【請求項２】
請求項１記載の自在可動式搬送コンベアにおいて、前記リンクチェーンは長円形の第１、第２のリングを交互に交差状に連結して構成され、前記掛止具の一端が所定ピッチで設けられた前記第１のリングの一方側に固定されていることを特徴とする自在可動式搬送コンベア。
【請求項３】
請求項２記載の自在可動式搬送コンベアにおいて、前記ガイド部材は前記リンクチェーンの第２のリングの両側部が遊嵌する第１、第２の溝部と、前記第１、第２の溝部とは直交し、前記リンクチェーンの第１のリングの他方側が遊嵌する第３の溝部とを有することを特徴とする自在可動式搬送コンベア。
【請求項４】
請求項１〜３のいずれか１項に記載の自在可動式搬送コンベアにおいて、前記管部材の中間又は前記管部材の他端部には、前記リンクチェーンの緊張装置が設けられていることを特徴とする自在可動式搬送コンベア。
【請求項５】
請求項１〜４のいずれか１項に記載の自在可動式搬送コンベアにおいて、前記掛止具は前記魚の尾のつけ根を挟み込んだ状態で挟持する対向する爪部を有していることを特徴とする自在可動式搬送コンベア。
【請求項６】
請求項５記載の自在可動式搬送コンベアにおいて、前記管部材の一端部は、前記岸壁に設けられ、前記管部材の他端部は前記魚運搬船の魚艙内に配置されていることを特徴とする自在可動式搬送コンベア。
【請求項７】
請求項１〜６のいずれか１項に記載の自在可動式搬送コンベアにおいて、前記支持手段は、一端が前記管部材の一部に固定され他端にはクランプ金物が設けられたクランプ型支持部材、及び前記管部材の一部を吊り下げるスタンド型支持部材の一方又は双方が使用されていることを特徴とする自在可動式搬送コンベア。
【発明の詳細な説明】
【技術分野】
【０００１】
本発明は、例えば、魚運搬船の多数の魚艙内の魚を岸壁の水揚場にまで連続的に搬送する自在可動式搬送コンベアに関する。
【背景技術】
【０００２】
従来、魚運搬船の魚艙内に収納された搬送対象物の一例である魚（例えば、鰹）を小口（開口部）から水揚げするために用いられ、作業の効率を高めて作業者の負担を軽減するために用いられる鰹の水揚機が知られている（例えば、特許文献１参照）。
この鰹の水揚機においては、小口に懸架固定された取付台に上下動可能に配置されたガイドレールに沿って上下動するコンテナ取付台に搭載されたコンテナの中に魚艙内の複数の魚を入れて、コンテナ取付台を介してコンテナを小口の上方まで上昇させた後、魚運搬船と岸壁との間を跨いで設置されたコンベアの上流側にコンテナを載置し、コンベアによりコンテナを岸壁の水揚場まで搬送するようになっている。
【０００３】
【特許文献１】特開平９−１５１０８６号公報（図１〜図４）
【発明の開示】
【発明が解決しようとする課題】
【０００４】
しかしながら、前記従来の鰹の水揚機においては、未だ解決すべき以下のような問題があった。
魚艙内から水揚場までの搬送がコンテナ取付台及びコンベアによる２ステップとなっているので、装置の構成が複雑であり、この結果、設備費が高くなると共に、装置の設置のための作業に手間がかかり、また、コンテナの搬送の作業にも手間がかかり、多くの作業者が必要であった。
特に、魚運搬船が小型船の場合には、小口が小さい（例えば、幅７００ｍｍ×長さ８５０ｍｍ）ため、コンテナ取付台による搬送のための機構が大型化して魚艙を塞いでしまい、魚艙内に作業者が入れないという問題があった。さらに、数多くある魚艙へ順次、設置換えを行なうには、さらに時間と手間を要し、このため多くの作業者が必要であると共に、魚の鮮度が落ちるという問題もあった。また、コンテナに複数の魚を入れて搬送するため、魚同士が接触するため、魚体に傷が付き易いという問題もあった。
【０００５】
本発明はかかる事情に鑑みてなされたもので、装置の構成が簡略化され、搬送対象物の搬送作業が少ない作業者で容易にできる自在可動式搬送コンベアを提供することを目的とする。
【課題を解決するための手段】
【０００６】
前記目的に沿う請求項１記載の自在可動式搬送コンベアは、接岸した魚運搬船の魚艙から岸壁の水揚場まで前記魚艙内の魚を搬送する自在可動式搬送コンベアであって、
可撓性を有する管部材と、
前記管部材の内外に配置され、前記魚の尾のつけ根を挟持する掛止具を所定間隔で備えたエンドレスのリンクチェーンと、
前記管部材の一端部に設けられて、前記リンクチェーンに噛合する駆動ローラを備えた回転動力源と、
前記管部材の他端部に設けられて、前記リンクチェーンを前記管部材の内側から外側に折り返すリターンローラと、
前記管部材の外側に設けられて、前記管部材の外側を移動する前記リンクチェーンを案内するガイド部材と、
前記管部材を所定位置に保持する複数の支持手段とを有する。
【０００７】
請求項２記載の自在可動式搬送コンベアは、請求項１記載の自在可動式搬送コンベアにおいて、前記リンクチェーンは長円形の第１、第２のリングを交互に交差状に連結して構成され、前記掛止具の一端が所定ピッチで設けられた前記第１のリングの一方側に固定されている。
請求項３記載の自在可動式搬送コンベアは、請求項２記載の自在可動式搬送コンベアにおいて、前記ガイド部材は前記リンクチェーンの第２のリングの両側部が遊嵌する第１、第２の溝部と、前記第１、第２の溝部とは直交し、前記リンクチェーンの第１のリングの他方側が遊嵌する第３の溝部とを有する。
【０００８】
請求項４記載の自在可動式搬送コンベアは、請求項１〜３記載の自在可動式搬送コンベアにおいて、前記管部材の中間又は前記管部材の他端部には、前記リンクチェーンの緊張装置が設けられている。
請求項５記載の自在可動式搬送コンベアは、請求項１〜４記載の自在可動式搬送コンベアにおいて、前記掛止具は前記魚の尾のつけ根を挟み込んだ状態で挟持する対向する爪部を有している。
【０００９】
請求項６記載の自在可動式搬送コンベアは、請求項５記載の自在可動式搬送コンベアにおいて、前記管部材の一端部は、前記岸壁に設けられ、前記管部材の他端部は前記魚運搬船の魚艙内に配置されている。
請求項７記載の自在可動式搬送コンベアは、請求項１〜６記載の自在可動式搬送コンベアにおいて、前記支持手段は、一端が前記管部材の一部に固定され他端にはクランプ金物が設けられたクランプ型支持部材、及び前記管部材の一部を吊り下げるスタンド型支持部材の一方又は双方が使用されている。
【発明の効果】
【００１０】
請求項１〜７記載の自在可動式搬送コンベアにおいては、複数の支持手段を介して所定位置に保持され、かつ可撓性を有する管部材の外側に設けられたガイド部材により、所定間隔で掛止具を備えたエンドレスのリンクチェーンを案内しながら魚を搬送することができるので、装置の構成が簡略化され、魚の搬送作業及び装置の設置作業が少ない作業者で容易にでき、これにより、設備費を廉価にでき、また作業性を向上できる。
特に、請求項２記載の自在可動式搬送コンベアにおいては、リンクチェーンは長円形の第１、第２のリングを交互に交差状に連結して構成し、掛止具の一端を所定ピッチで設けられた第１のリングの一方側に固定しているので、掛止具の取付け、取り外しが容易にできる。
【００１１】
請求項３記載の自在可動式搬送コンベアにおいては、ガイド部材はリンクチェーンの第２のリングの両側部が遊嵌する第１、第２の溝部と、第１、第２の溝部とは直交し、リンクチェーンの第１のリングの他方側が遊嵌する第３の溝部とを有するので、簡単な構造の溝部が形成されたガイド部材を介して、リンクチェーンの移動をガイドすることができる。
請求項４記載の自在可動式搬送コンベアにおいては、管部材の中間又は管部材の他端部には、リンクチェーンの緊張装置が設けられているので、たとえ魚が重く、搬送量が多くても、リンクチェーンを確実に駆動することができる。
請求項５記載の自在可動式搬送コンベアにおいては、掛止具は魚の尾のつけ根を挟み込んだ状態で挟持する対向する爪部を有しているので、魚の胴体部を傷つけることなく、搬送することができる。また、掛止具に一匹ずつ掛止するため、魚同士の接触による傷の発生は生じない。
【００１２】
請求項６記載の自在可動式搬送コンベアにおいては、管部材の一端部は、岸壁に設けられ、管部材の他端部は魚運搬船の魚艙内に配置されているので、管部材の他端部を複数の魚艙内に配置換えすることにより、複数の魚艙内の魚を搬送することができる。特に、小口が小さい小型の魚運搬船の場合でも、作業者が魚艙内に容易に入ることができ、さらに、数多くある魚艙へ順次、迅速かつ簡単に設置換えを行なうことができ、このため魚の鮮度が落ちるという問題を解決することができる。
【００１３】
請求項７記載の自在可動式搬送コンベアにおいては、支持手段は、一端が管部材の一部に固定され他端にはクランプ金物が設けられたクランプ型支持部材、及び管部材の一部を吊り下げるスタンド型支持部材の一方又は双方が使用されているので、支持手段を介して容易に管部材を所定位置に着脱することができる。
【発明を実施するための最良の形態】
【００１４】
続いて、添付した図面を参照しつつ、本発明を具体化した実施の形態につき説明し、本発明の理解に供する。
ここで、図１は本発明の一実施の形態に係る自在可動式搬送コンベアを適用した魚運搬船の一部を省略した平面図、図２は同自在可動式搬送コンベアの模式的な構成図、図３は同自在可動式搬送コンベアの回転駆動源の周りを示す説明図、図４は同自在可動式搬送コンベアの断面図、図５は同自在可動式搬送コンベアのリンクチェーンの説明図、図６は同自在可動式搬送コンベアの駆動ローラの一部省略断面図、図７は同自在可動式搬送コンベアのリターンローラの一部省略断面図、図８は同自在可動式搬送コンベアの要部断面図、図９は同自在可動式搬送コンベアの掛止具の説明図、図１０は本発明の他の実施の形態に係る自在可動式搬送コンベアの魚艙の周りを示す説明図である。
【００１５】
図１〜図３に示すように、本発明の一実施の形態に係る自在可動式搬送コンベア１０は、岸壁１１に接岸された魚運搬船１２の多数の魚艙ａ〜ｔ内の魚（搬送対象物）１３を小口（開口部）１２ａを介して岸壁１１の水揚場１４にまで搬送するものである。小口１２ａのサイズは、一例として、幅７００ｍｍで長さ８５０ｍｍである。
【００１６】
図２〜図４に示すように、自在可動式搬送コンベア１０は、可撓性を有する管部材１５と、管部材１５の内外に配置され、所定間隔で配置された魚１３の掛止具１６を備えたエンドレスのリンクチェーン１７と、管部材１５の一端部（下流側）に設けられて、リンクチェーン１７に噛合する駆動ローラ（駆動鎖車）１８を備えた回転動力源の一例である減速機付き電動モータ１９と、管部材１５の他端部（上流側）に設けられて、リンクチェーン１７を管部材１５の内側から外側に折り返すリターンローラ（従動車）２０と、管部材１５の外側に設けられて、管部材１５の外側を移動するリンクチェーン１７を案内する多数のガイド部材２１と、管部材１５を所定位置に保持する複数の支持手段２２、２２ａとを有して構成されている。なお、本実施の形態では、管部材１５の一端部は、岸壁１１の水揚場１４に配置された陸上コンベア４９の上流端部の上方に位置しており、管部材１５の他端部は魚艙ｏ（具体的には、ａ〜ｔ）内に位置している。以下、これらについて詳しく説明する。
【００１７】
図４に示すように、自在性を備えた管部材１５は内径Ｄ（例えば、５０〜３００ｍｍ、この実施の形態では１５０〜２００ｍｍ）を有し、透明な塩化ビニール製で補強コードが入っている約１０ｍの長さのものである。管部材１５の外側にはガイド部材２１が設けられており、管部材１５の内側を、掛止具１６を備えたエンドレスのリンクチェーン１７が移動するようになっている。
図４、図５及び図８に示すように、駆動ローラ１８に噛合し、リターンローラ２０に巻回された無端のリンクチェーン１７はステンレス製であり、長円形の第１、第２のリング２３、２４を交互に交差状に連結して構成されている。リンクチェーン１７の所定間隔（本実施の形態では１０ピッチ）で配置された第１のリング２３の一方側２３ａには、魚１３を掛止できる掛止具１６が取付部材１６ａを介して取付けられている。なお、第１、第２のリング２３、２４の素材の直径ｄは、一例として６ｍｍとしている。また、隣り合う掛止具１６の間隔は、吊り下げられた状態の魚１３の幅の２〜５倍程度であるのがよい。
【００１８】
図４及び図８に示すように、各ガイド部材２１はリンクチェーン１７の第２のリング２４の両側部２５、２６が遊嵌する第１、第２の溝部２７、２８と、第１、第２の溝部２７、２８とは直交し、リンクチェーン１７の第１のリング２３の他方側２３ｂが遊嵌する第３の溝部２９とを有して構成されている。各ガイド部材２１は硬質ゴム又は硬質の合成樹脂からなっており、第３の溝部２９に対向する位置には、第１のリング２３の一方側２３ａが挿通する切欠き３０が形成されている。また、各ガイド部材２１は管部材１５の水平方向外側の外周面３１に板状のブラケット３２ａを介して取付けられている。
【００１９】
図２、図３、図５及び図６に示すように、竪型の減速機付き電動モータ１９の出力軸には駆動ローラ１８（直径Ｐ）が設けられている。リンクチェーン１７に噛合する駆動ローラ１８の外周部には、第１のリング２３を挟んで対向して配置され、かつ、隣接する第２のリング２４間に嵌入して配置された対となる掛止片３２が、８等分されたピッチで取付けられている。また、8組の対となる掛止片３２を挟んで両側には、リンクチェーン１７をガイドするリング状のガイド板３３、３４が設けられている。なお、図５において、ガイド板３３、３４の記載は省略している。
【００２０】
図３に示すように、陸上コンベア４９の上流端部の上方位置には、リンクチェーン１７の掛止具１６に掛止された魚１３を自動的に掛止解除して、陸上コンベア４９上に落とすための落下ガイド５１が設置されている。管部材１５の一端部には、駆動ローラ１８を経由したリンクチェーン１７を管部材１５内にガイド可能に配置するため、また、管部材１５の一端部を補強するためのカバー状の取付部材５２が設けられている。図２に示すように、管部材１５の下流側端部は減速機付き電動モータ１９に支持部材３５を介して固定されている。図３に示すように、減速機付き電動モータ１９には、モータの駆動及び停止の操作を行なうための操作ボタン５３が取付けられている。
【００２１】
図２及び図５に示すように、リターンローラ２０は管部材１５の上流側端部に設けられた補強用リング３６に、取付ブラケット３７を介して回転可能に固定されている。
図７に示すように、リターンローラ２０（直径ｐ）の外周部は、リンクチェーン１７の第１、第２のリング２３、２４の通過をガイド可能な２段構造のガイド溝３８が形成されている。なお、図示しないが、管部材１５の中間又は管部材１５の他端部には、リターンローラ２０と同様の構造の緊張用ローラを付勢手段を介して取付けたリンクチェーン１７の緊張装置が設けられているものとする。
【００２２】
図８及び図９に示すように、掛止具１６は魚１３の尾３９のつけ根４０を挟み込んだ状態で挟持する対向して配置された爪部４１、４２を有している。爪部４１、４２は取付部材１６ａに固定されたピン４３の回りを一緒に回動すると共に、ピン４３の下方にピン４３に直交して設けられたピン４４の回りを対向して回動（開閉）するように構成されている。爪部４１、４２の下部には尾３９の両側が回転することなく、また尾３９が脱落しないように掛止溝４５が形成されている。更に、爪部４１、４２のピン４４の上方位置には、圧縮バネ４６が連結されており、圧縮バネ４６の付勢力により半分閉じた状態の爪部４１、４２を作業者５０が魚１３の尾３９を介して開き、挟んだ魚１３の尾３９のつけ根４０を圧縮バネ４６の付勢力により爪部４１、４２の下部で軽くクランプできるようになっている。
【００２３】
図２に示すように、取り外し式の支持手段２２、２２ａは、一端は取付部材４７、４７ａを介して管部材１５の一部に固定されており、他端にはクランプ金物４８、４８ａが設けられたクランプ型支持部材を構成している。管部材１５の支持手段として、さらに、必要に応じて、管部材１５の一部を吊り下げることができる構造のスタンド型支持部材だけを用いたり、又はスタンド型支持部材と支持手段２２、２２ａとを併用することもできる。なお、図１中の符号５４は機関室を、符号５５は予冷水艙を表している。
【００２４】
次いで、本発明の一実施の形態に係る自在可動式搬送コンベア１０を用いて、岸壁１１に接岸された魚運搬船１２の魚艙ｏ内の魚１３を小口１２ａを介して岸壁１１の水揚場１４にまで搬送する作業について、図を参照しながら説明する。
（１）図１及び図２に示すように、岸壁１１の水揚場１４に配置された陸上コンベア４９の上流端部に、自在可動式搬送コンベア１０の減速機付き電動モータ１９を設置する。
（２）リターンローラ２０を魚艙ｏ内に設置した状態で、管部材１５を支持手段２２、２２ａにより魚運搬船１２の所定の個所に固定する。
【００２５】
（３）減速機付き電動モータ１９を駆動して駆動ローラ１８を回転し、リターンローラ２０を介してリンクチェーン１７を駆動する。また、陸上コンベア４９も駆動する。
（４）水氷が除去された魚艙ｏ内に作業者５０が入り込む。
（５）図２に示すように、作業者５０は、魚艙ｏ内の魚１３を一匹ずつ取り上げ、リターンローラ２０を経由して搬送されるリンクチェーン１７に所定のピッチで設けられた掛止具１６に魚１３を一匹ずつ掛止する。
（６）作業者５０は前記（５）を、魚艙ｏ内の魚１３が無くなるまで繰り返して行なう。
（７）リンクチェーン１７の掛止具１６に掛止された魚１３は、魚艙ｏ内から小口１２ａを経由して陸上コンベア４９の上方まで搬送された後、駆動ローラ１８の手前に設けられた落下ガイド５１により自動的に陸上コンベア４９上に落下し、陸上コンベア４９により、所定の場所まで搬送される。
【００２６】
（８）魚艙ｏ内の魚１３がすべて無くなると、自在可動式搬送コンベア１０を停止する。また、必要に応じて、陸上コンベア４９も停止する。
（９）魚１３が収納されている他の魚艙について順次、前記（２）〜（８）と同じ要領で魚１３の搬送を行なう。但し、魚艙ａ〜ｔ内は寒いため、作業者５０は５〜１０分毎に作業を交代する。
（１０）すべての魚艙ａ〜ｔ内の魚１３を取り出した後、自在可動式搬送コンベア１０及び陸上コンベア４９を停止する。
（１１）管部材１５を魚運搬船１２に固定する支持手段２２、２２ａを取り外し、自在可動式搬送コンベア１０を撤去する。また、必要に応じて、陸上コンベア４９も撤去する。
【００２７】
上述のように、自在可動式搬送コンベア１０の使用においては、管部材１５の自在性を利用して、管部材１５の先端側を魚艙ａ〜ｔ内に突っ込むような感覚で取り扱うことができ、各魚艙ａ〜ｔへの設置換えも迅速に行なうことができ、しかも、リンクチェーン１７の掛止具１６に魚１３を掛けるための最低作業者数で魚１３の運搬作業が行なえるので、作業の効率化及び軽減化が実現できる。また、リンクチェーン１７がエンドレスであるので、連続的かつ効率的な魚１３の搬送が可能である。
【００２８】
図１０には本発明の他の実施の形態に係る自在可動式搬送コンベア６０を示す。自在可動式搬送コンベア６０において、自在可動式搬送コンベア１０と同じ構成要素については、同じ符号を付して詳しい説明を省略する。
自在可動式搬送コンベア１０においては、各ガイド部材２１を管部材１５の水平方向外側の外周面３１に取付けたが、自在可動式搬送コンベア６０においては、各ガイド部材２１ａを管部材１５ａの垂直方向下側の外周面３１ａに取付けている。また、取り外し式の支持手段２２ｂは、一端は取付部材４７ｂを介して管部材１５ａの一部に固定されており、他端にはクランプ金物４８ｂが設けられたクランプ型支持部材を構成している。なお、自在可動式搬送コンベア６０においては、駆動ローラ（図外）の軸心は自在可動式搬送コンベア１０の駆動ローラ１８の軸心と直交する配置となる。
【００２９】
本発明は前記した実施の形態に限定されるものではなく、本発明の要旨を変更しない範囲での変更は可能であり、例えば、前記したそれぞれの実施の形態や変形例の一部又は全部を組み合わせて本発明の自在可動式搬送コンベアを構成する場合も本発明の権利範囲に含まれる。
前記実施の形態においては、リンクチェーン１７は長円形の第１、第２のリング２３、２４を交互に交差状に連結して構成し、掛止具１６の一端を第１のリング２３の一方側２３ａに固定したが、これに限定されず、状況に応じて、その他の構造のリンクチェーンを使用することもできる。
【００３０】
リンクチェーン１７の掛止具１６に掛止された魚１３を自動的に掛止解除可能な落下ガイド５１を設けたが、これに限定されず、必要に応じて、落下ガイドを設けず、人手により掛止解除を行なうこともできる。
管部材１５を１本もので構成したが、これに限定されず、必要に応じて、管部材を複数本（例えば、３〜４本）に分割し、ワンタッチ式のカプラーで着脱可能に構成することもできる。
管部材１５の中間又は管部材の他端部に、リンクチェーン１７の緊張装置を設けたが、これに限定されず、必要に応じて、例えば、搬送対象物が軽量で搬送量が少ない場合には、緊張装置を省略することもできる。
【００３１】
本実施の形態では、１セットの自在可動式搬送コンベア１０を使用したが、これに限定されず、必要に応じて、管部材の長さ、リンクチェーンのサイズ、減速機付き電動モータの容量等の異なる複数の自在可動式搬送コンベアを用いて、魚１３の搬送量を増大することもできる。
【図面の簡単な説明】
【００３２】
【図１】本発明の一実施の形態に係る自在可動式搬送コンベアを適用した魚運搬船の一部を省略した平面図である。
【図２】同自在可動式搬送コンベアの模式的な構成図である。
【図３】同自在可動式搬送コンベアの回転駆動源の周りを示す説明図である。
【図４】同自在可動式搬送コンベアの断面図である。
【図５】同自在可動式搬送コンベアのリンクチェーンの説明図である。
【図６】同自在可動式搬送コンベアの駆動ローラの一部省略断面図である。
【図７】同自在可動式搬送コンベアのリターンローラの一部省略断面図である。
【図８】同自在可動式搬送コンベアの要部断面図である。
【図９】同自在可動式搬送コンベアの掛止具の説明図である。
【図１０】本発明の他の実施の形態に係る自在可動式搬送コンベアの魚艙の周りを示す説明図である。
【符号の説明】
【００３３】
１０：自在可動式搬送コンベア、１１：岸壁、１２：魚運搬船、１２ａ：小口、１３：魚（搬送対象物）、１４：水揚場、１５、１５ａ：管部材、１６：掛止具、１６ａ：取付部材、１７：リンクチェーン、１８：駆動ローラ（駆動鎖車）、１９：減速機付き電動モータ（回転動力源）、２０：リターンローラ（従動車）、２１、２１ａ：ガイド部材、２２、２２ａ、２２ｂ：支持手段、２３：第１のリング、２３ａ：一方側、２３ｂ：他方側、２４：第２のリング、２５、２６：側部、２７：第１の溝部、２８：第２の溝部、２９：第３の溝部、３０：切欠き、３１、３１ａ：外周面、３２：掛止片、３２ａ：ブラケット、３３、３４：ガイド板、３５：支持部材、３６：補強用リング、３７：取付ブラケット、３８：ガイド溝、３９：尾、４０：つけ根、４１、４２：爪部、４３：ピン、４４：ピン、４５：掛止溝、４６：圧縮バネ、４７、４７ａ、４７ｂ：取付部材、４８、４８ａ、４８ｂ：クランプ金物、４９：陸上コンベア、５０：作業者、５１：落下ガイド、５２：取付部材、５３：操作ボタン、５４：機関室、５５：予冷水艙、６０：自在可動式搬送コンベア
【図１】
0004625647.tif 000002
【図２】
0004625647.tif 000003
【図３】
0004625647.tif 000004
【図４】
0004625647.tif 000005
【図５】
0004625647.tif 000006
【図６】
0004625647.tif 000007
【図７】
0004625647.tif 000008
【図８】
0004625647.tif 000009
【図９】
0004625647.tif 000010
【図１０】
0004625647.tif 000011